(57)【要約】【課題】先端部を頭部に安定性良く接触させ、頭皮に直接液剤を塗布することができるとともに、塗布した液剤が広がる方向を制御でき、液剤の広がりを使用感として実感させ易くすることができる液剤容器用キャップ等を提供すること。【解決手段】頭部に塗布する液剤を収容する容器に取り付ける液剤容器用キャップ１であり、基台部２と先端部３を有し、先端部３には、液剤吐出孔３１が設けられており、液剤吐出孔３１を中心にして放射状に３以上の凸状部４が設けられている。凸状部４は、先端部の液剤吐出孔側から立ち上がる一端部４１及び該一端部よりキャップ径方向外側から立ち上がる他端部４２を有し、凸状部４の最上端４３は、液剤吐出孔３１より上方に位置する。凸状部４は、キャップの周方向に間隔を開けて形成され、凸状部同士の間隙４６が、液剤吐出孔から吐出した液剤がキャップ径方向の外側に向かって流出する液剤の流路となる。【選択図】図１
2014169114.tif 000002
【特許請求の範囲】
【請求項１】
頭部に塗布する液剤を収容する容器に取り付ける液剤容器用キャップであって、
基台部と先端部を有し、該先端部には、液剤吐出孔が設けられており、
前記液剤吐出孔を中心にして放射状に３以上の凸状部が設けられており、
前記凸状部は、前記先端部の液剤吐出孔側から立ち上がる一端部及び該一端部よりキャップ径方向外側から立ち上がる他端部を有しており、
前記凸状部の最上端は、前記液剤吐出孔より上方に位置し、該凸状部は、キャップの周方向に間隔を開けて形成され、該凸状部同士の間隙が、前記液剤吐出孔から吐出した液剤がキャップ径方向の外側に向かって流出する液剤の流路となる、液剤容器用キャップ。
【請求項２】
前記凸状部が、板状リブである請求項１に記載の液剤容器用キャップ。
【請求項３】
前記凸状部が、キャップの周方向に等間隔で設けられている請求項１又は２に記載の液剤容器用キャップ。
【請求項４】
前記先端部は、円錐台部を有し、該円錐台部の上面部に、前記液剤吐出孔が設けられた天面部を有している請求項１〜３の何れか１項に記載の液剤容器用キャップ。
【請求項５】
前記凸状部が、前記天面部の外縁からキャップの径方向外側に向けて設けられている請求項４に記載の液剤容器用キャップ。
【請求項６】
前記凸状部の最上端の高さが全て同じである請求項１〜５の何れか１項に記載の液剤容器用キャップ。
【請求項７】
前記凸状部の前記一端部から最上端までの部分が曲面形状である請求項１〜６の何れか１項に記載の液剤容器用キャップ。
【請求項８】
請求項１〜７の何れか１項に記載の液剤容器用キャップが、頭部に塗布する液剤が収容された容器に取り付けられている液剤入り容器。
【請求項９】
請求項８に記載の液剤入り容器に収容された、頭部に塗布するための液剤。
【請求項１０】
下記の工程を含む請求項８に記載の液剤入り容器の使用方法。
液剤入り容器を手で把持し、前記凸状部の最上端を頭部に接触させる工程。
液剤入り容器の胴部を押圧し、前記液剤吐出孔より液剤を頭部に向かって吐出させる工程。
【発明の詳細な説明】
【技術分野】
【０００１】
本発明は、頭部に塗布する液剤を収容する容器に取り付ける液剤容器用キャップに関する。
【背景技術】
【０００２】
頭部に塗布する液剤として、シャンプー、トリートメント等があるが、特に頭皮の毛穴に詰まった油を洗い流すシャンプーの場合には、なるべく頭髪に付着することなく頭皮に直接塗布することが望ましい。しかし、液剤吐出孔を先端に有するノズルを備えたシャンプー容器は、ノズルを頭皮に直接接触させると、液剤吐出孔が頭皮で塞がれてしまうため、ノズルを頭皮から離す必要があり、液剤が頭皮に届きにくかった。そこで、ノズル先端を頭皮に直接接触させても液剤を頭部に向かって吐出できるキャップが提案されている（例えば、特許文献１参照）。
特許文献１のキャップは、キャップ天面部に立設された柱状体先端から液剤が吐出するものであり、長い柱状体を頭皮に接触することで、短い柱状体の先端が頭皮で塞がれることなく、液剤が頭部に吐出・塗布することができる。
【先行技術文献】
【特許文献】
【０００３】
【特許文献１】特開平９−３１３２４１号公報
【発明の概要】
【発明が解決しようとする課題】
【０００４】
しかしながら、特許文献１のキャップにおける、頭皮に直接接触している長い柱状体の先端は頭皮で塞がれてしまうため、そこからは液剤を頭皮に塗布することができなかった。また柱状体では、一定範囲の頭髪を掻き分けたり、頭髪を頭皮に押し付けにくく、頭皮を露出させにくい為、短い柱状体先端から吐出された液剤の頭皮への直接塗布が困難であった。また、特許文献１のキャップは、頭皮上の、液剤の広がる方向を制御し、液剤の広がりを使用感として実感するといった新しい課題を解決するものではない。
【０００５】
本発明の課題は、前述した従来技術が有する解決課題を解決し、さらに頭皮上の、液剤の広がる方向を制御し、液剤の広がりを使用感として実感するといった新しい課題を解決し得る液剤容器用キャップを提供することにある。
【課題を解決するための手段】
【０００６】
本発明は、頭部に塗布する液剤を収容する容器に取り付ける液剤容器用キャップであって、基台部と先端部を有し、該先端部には、液剤吐出孔が設けられており、前記液剤吐出孔を中心にして放射状に３以上の凸状部が設けられており、前記凸状部は、前記先端部の液剤吐出孔側から立ち上がる一端部及び該一端部よりキャップ径方向外側から立ち上がる他端部を有しており、前記凸状部の最上端は、前記液剤吐出孔より上方に位置し、該凸状部は、キャップの周方向に間隔を開けて形成され、該凸状部同士の間隙が、前記液剤吐出孔から吐出した液剤がキャップ径方向の外側に向かって流出する液剤の流路となる、液剤容器用キャップを提供するものである。
【０００７】
また、本発明は、前記の液剤容器用キャップが、頭部に塗布する液剤が収容された容器に取り付けられている液剤入り容器を提供するものである。
【発明の効果】
【０００８】
本発明の液剤容器用キャップ及び液剤入り容器によれば、キャップの先端部を頭部に安定性良く接触させて、頭皮に直接液剤を塗布することができるとともに、塗布した液剤が広がる方向を制御でき、液剤の広がりを使用感として実感させ易くすることができる。
【図面の簡単な説明】
【０００９】
【図１】図１（ａ）〜図１（ｃ）は、本発明の液剤容器用キャップの一実施形態を示す図であり、図１（ａ）は、正面図、図１（ｂ）は、斜視図、図１（ｃ）は、平面図である。
【図２】図１に示す液剤容器用キャップを容器に取り付けてなる本発明の液剤入り容器の一実施形態を示す斜視図である。
【図３】図３（ａ）〜図３（ｃ）は、図１に示す液剤容器用キャップの断面図であり、図３（ａ）は、倒立状態とした同キャップを介して頭皮に液剤を塗布する様子を示す縦断面図、図３（ｂ）は、同キャップの液剤吐出孔を閉鎖した状態を示す縦断面図、図３（ｃ）は、図３（ａ）のＩＩＩーＩＩＩ線断面図である。
【図４】図４（ａ）〜図４（ｃ）は、本発明の他の実施形態である液剤容器用キャップを示す図であり、図１（ａ）〜図１（ｃ）に相当する図である。
【図５】図５（ａ）〜図５（ｃ）は、本発明の更に他の実施形態である液剤容器用キャップを示す図であり、図１（ａ）〜図１（ｃ）に相当する図である。
【図６】図６（ａ）〜図６（ｃ）は、本発明の更に他の実施形態である液剤容器用キャップを示す図であり、図１（ａ）〜図１（ｃ）に相当する図である。
【図７】図７は、本発明の更に他の実施形態である液剤容器用キャップの模式平面図である。
【図８】図８は、本発明の更に他の実施形態である液剤容器用キャップの模式平面図である。
【発明を実施するための形態】
【００１０】
以下に、本発明をその好ましい実施形態に基づいて説明する。
第１実施形態の液剤容器用キャップ１（以下、単にキャップ１ともいう）は、頭部に塗布する液剤を収容する容器に取り付ける液剤容器用キャップである。キャップ１は、例えば、図２に示すような容器に取り付けられ、内部に収容された液剤（図示略）を頭部６に塗布するために用いられる。図２に示す容器９は、片手で把持し易い形状及び大きさに形成されており、片手に把持して、液剤の頭部６への塗布作業を行うことができる。また、図２に示す容器９は、胴部９１と、底部９２と、肩部９３と、上端に開口部を有する口首部９４とを有する合成樹脂製の容器である。
【００１１】
本実施形態のキャップ１は、図１に示すように、基台部２と先端部３を有し、先端部３には、液剤吐出孔３１が設けられている。また、キャップ１には、液剤吐出孔３１を中心にして放射状に３以上の板状リブ４（凸状部）が設けられている。板状リブ４は、それぞれ、先端部３の液剤吐出孔３１側から立ち上がる一端部４１及び該一端部４１よりキャップ径方向外側から立ち上がる他端部４２を有している。また、板状リブ４の最上端４３は、液剤吐出孔３１より上方に位置する。また、板状リブ４は、キャップの周方向Ａに間隔を開けて形成され、該板状リブ４同士の間隙４６が、前記液剤吐出孔３１から吐出した液剤がキャップ径方向の外側に向かって流出する液剤の流路となる。
【００１２】
なお、本願明細書で「上方」、「上側」とは、容器９を正立した状態を示す図２において、上の方向（底部９２に対して、キャップ１がある方向）を意味する。
【００１３】
本実施形態のキャップ１は、外形が円柱状の基台部２と、その上側に位置する先端部３とが一体となって形成されている。先端部３は、外形が円錐台状の円錐台部３５と、円錐台部３５の上面部に、中心に液剤吐出孔３１が設けられている天面部３４とを有する。
天面部３４の下側に円錐台部３５を設けることにより、容器の使用後も、液剤が天面部３４上や板状リブ４間の空隙に滞留することなく、円錐台部３５の斜面に沿って液剤が流れ落ちるため、衛生的である。
【００１４】
また、本実施形態においては、図１（ｃ）に示すように、平面視して円形状の天面部３４から、板状リブ４が間隔をあけて複数個、液剤吐出孔３１を中心にしてキャップ径方向外側に向けて放射状に設けられている。
板状リブ４は、それぞれ、天面部３４の液剤吐出孔３１側から立ち上がる一端部４１及びキャップ径方向における該一端部４１より外側から立ち上がる他端部４２を有している。また、板状リブ４は、それぞれ、キャップ１の平面視において、キャップの径方向に延びている。
【００１５】
液剤を天面部３４に貯める量を多くする観点からは、板状リブ４（凸状部）は、天面部３４の外縁３２からキャップの径方向外側に向けて設けられていることが好ましい。しかし、図１（ｃ）に示すように、天面部３４における、液剤吐出孔３１の外周部３３（液剤吐出孔３１の縁から天面部３４の外縁３２間）からキャップの径方向外側に向けて設けられていても良い。板状リブ４の一端部４１の立ち上がり位置は、液剤の粘度や液剤の吐出量によって適宜決めることができる。
また、天面部３４の直径は、液剤の粘度や液剤の吐出量によって適宜決めることができるが、本実施形態では、好ましくは３ｍｍ以上、より好ましくは５ｍｍ以上であり、また、好ましくは１５ｍｍ以下、より好ましくは１０ｍｍ以下である。
【００１６】
ここで天面部３４の外縁３２とは、天面部３４が平面の場合には、天面部３４と円錐台部３５の境界の稜線部分を指し、天面部３４が曲面の場合には、天面部３４と円錐台部３５の境界の曲率半径が変化する部分を指す。なお、天面部３４が曲面の場合には、前記直径は平面視直径を指す。
【００１７】
また、板状リブ４の一端部４１の立ち上がり位置は、基台部２の直径が２８ｍｍの場合には、液剤吐出孔３１の縁から０ｍｍ以上１０ｍｍ以下が好ましく、２ｍｍ以上４ｍｍ以下がより好ましい。
【００１８】
板状リブ４（凸状部）は、頭部６へ安定良く接触させる観点、及び液剤を頭皮６１に液剤が行き渡っている感じを得ながら、頭皮６１の所定領域に行き渡らせることができる観点から３個以上が必要である。また、液剤を頭皮６１に拡散させやすく、キャップ天面部に汚れ（液剤と皮脂汚れの混合物等）が溜まらないようにする観点から８個以下が好ましい。本実施形態では、板状リブ４は６個である。板状リブ４（凸状部）の数は、好ましくは３個以上であり、より好ましくは５個以上であり、また、好ましくは８個以下である。図４〜図６は、板状リブ４の数が、順に３、４及び８個の場合の例である。
【００１９】
本実施形態のキャップ１を用いて、頭部６に塗布する液剤を塗布する方法には、例えば、液剤剤入りの容器９を手で把持し、その容器９に取り付けたキャップ１の前記板状リブ４（凸状部）の最上端４３を、図３（ａ）に示すように、頭部６に接触させて、押し付け、その状態で容器９の胴部９１を手で加圧する等の操作を行い、液剤（図示せず）を頭部６に向かって吐出させる。
【００２０】
本実施形態のキャップ１によれば、板状リブ４（凸状部）が、キャップの周方向Ａに間隔を開けて３以上形成されているため、頭部６に先端部３を安定性良く接触させることがでる。また、板状リブ４（凸状部）の最上端４３が液剤吐出孔３１より上方に位置している為、頭皮６１によって液剤吐出孔３１が塞がれることもない。更に板状リブ４（凸状部）により、一定範囲の頭髪を掻き分けたり、頭髪を頭皮６１に押し付けることにより、頭皮６１を露出させやすくすることができる。従って、頭皮６１に液剤を直接効率よく塗布することができる。
しかも、液剤吐出孔３１から吐出された液剤７は、図３（ｃ）に示すように、板状リブ４同士の間隙４６を液剤７の流路としてキャップ径方向の外側に向かって流出する。このように、板状リブ４によって、塗布した液剤７が広がる方向を制御して、液剤７を頭皮６１上に効率よく広げることができるため、キャップ１や容器の使用者に、液剤の広がりを使用感として実感させ易くなる。
本実施形態のキャップ１のように、凸状部が板状リブ４であることは、液剤の拡がる方向を制御し易いので好ましい。また、キャップ１の成形もしやすい。
【００２１】
また、板状リブ４同士の間隔は、液剤を頭皮６１に液剤が行き渡っている感じを得ながら、頭皮６１の所定領域に万遍なく行き渡らせることができる観点から、等間隔であることが望ましい。
また、頭部６にキャップ１を安定良く接触できる観点から、板状リブ４の最上端４３の高さは全て同じであることが望ましい。
【００２２】
本実施形態では、天面部３４から板状リブ４の最上端４３まで高さｔ〔図３（ｂ）参照〕は３ｍｍである。前記高さｔは、好ましくは１ｍｍ以上、より好ましくは２ｍｍ以上であり、また、好ましくは１０ｍｍ以下、より好ましくは５ｍｍ以下である。
液剤粘度が２０〜１０００ｍＰａ・Ｓ（３０℃）程度のシャンプー剤等の液剤の場合には、液剤が頭皮６１に届きやすく、液剤流路への流れをスムースにする観点から、天面部３４から板状リブ４の最上端４３までの高さｔ〔図３（ｂ）参照〕は２〜５ｍｍが好ましい。
上記の液剤粘度は、ＢＭ型粘度計（ローターＮｏ．２、回転数６０ｒｐｍ、回転時間６０秒）による計測値である。
【００２３】
また、図３（ｂ）に示すように、液剤吐出孔３１の外周部３３からの板状リブ４の一端側の立ち上がり部分４４（後述）は曲面形状であることが、頭部に対して、優しく接触できると共に、天面部３４に液剤を滞留させにくくすることができる観点で好ましい。前記立ち上がり部分４４は、天面部３４から立ち上がる板状リブ４（凸状部）の一端部４１から板状リブ４の最上端４３までの部分である。なお、板状リブ４（凸状部）は、上縁部と、先端部３と結合した下縁部と、上縁部と下縁部との間に位置する互いに略平行な２側面を有するが、前記立ち上がり部分４４は、断面視方向（図３（ｂ）参照）から見た上縁部の形状が曲面形状であれば良い。
板状リブ４の最上端４３の曲面形状の曲率半径Ｒは、頭部に対して、優しく接触できることから１．５ｍｍ以上が好ましい。曲率半径の好ましい範囲の最大値は、キャップの直径によるが、φ３０ｍｍのキャップの場合にはＲ５ｍｍである。本実施形態ではキャップ直径φ２８ｍｍに対して、曲率半径はＲ２．６ｍｍである。
【００２４】
また、液剤吐出孔３１の位置は、液剤を周囲に満遍なく行き渡らせる観点から天面部３４の中央であることが好ましい。
【００２５】
本発明における「頭部に塗布する液剤」としては、例えば、シャンプー、トリートメント、リンス、トニック、整髪用ジェル、染毛剤等が挙げられる。本発明の液剤入り容器は、本発明の液剤容器用キャップを、頭部に塗布する液剤が収容された任意の構成の液剤容器に取り付けてなる。
【００２６】
本発明は、上記の実施形態に制限されず、種々の変形が可能である。
例えば、上述した実施形態のキャップ１は、図３に示すように、液剤吐出孔３１にキャップの内側から栓部材５３を挿脱して、該液剤吐出孔３１を開閉する吐出孔の開閉機構を備えていたが、本発明の液剤容器用キャップや液剤入り容器は、キャップの外側から栓部材を挿脱して液剤吐出孔を開閉する吐出孔の開閉機構を備えていても良く、また、液剤吐出孔にキャップの内側又は外側から栓部材を押し当てて該液剤吐出孔を閉鎖するものであっても良い。更に、本発明の液剤容器用キャップや液剤入り容器は、液剤吐出孔自体を開閉する吐出孔の開閉機構を有しないものであっても良く、凸状部を含むキャップの上端部を覆うカバーキャップ等を有するものであっても良い。
【００２７】
また、図３に示すキャップ１は、前述した栓部材５３を備えた接続部材５によって容器９の口首部９４に取り付けられているが、本発明の液剤容器用キャップや液剤入り容器は、キャップの基台部等を、そのような接続部材を介さずに直接容器に固定するものであっても良い。なお、図３に示す接続部材５は、容器９の口首部９４に螺合されて固定される固定部５１と、キャップ１の基台部２の内周面に螺合する接続筒部５２と、支持部５４によって支持された栓部材５３を有し、キャップ１を周方向に回動させることで、液剤吐出孔３１を開閉させることができる。
【００２８】
また、液剤吐出孔３１は、図７に例示するような形態で形成されていても良く、液剤の粘度等の物性によって、孔位置、数、開口径を適宜決めることができる。例えば図７の４つの液剤吐出孔の代わりに、２つの液剤吐出孔を横並びに配置しても良い。
また、凸状部として、板状リブ以外に楕円柱状リブ、角状リブ等のリブ形状のほか、平面視して扇形の凸状部４Ａ（図８参照）等の各種形状の凸状部を用いることができる。なお、図８の場合、凸状部４Ａ同士の間隙４６によって形成される液剤流路は溝状となる。
【００２９】
また、本発明における容器は、図２に示すような、自立可能なボトル状の容器に限られず、他の任意の形状の容器であっても良い。また、液剤容器用キャップやそれを取り付ける容器は、それぞれ、ポリオレフィン樹脂等の合成樹脂製であることが好ましいが、それぞれ、他の材質からなるものであっても良い。また、容器は、容器の胴部等を手で加圧する以外の方法によって、内部の液剤を吐出させ得るものであっても良い。
【００３０】
また、円錐台部３５の斜面は側面視して必ずしも直線である必要はなく、上に凸状または下に凸状の曲線であってもよい。
【００３１】
また、先端部３は必ずしも天面部３４と円錐台部３５を必要とせず、先端部３全体が半球状（ドーム状）であっても良い。かかる場合には、液剤吐出孔３１は先端部３の頂点に設けた方が好ましい。
【００３２】
本発明は、上述した実施形態に関し、更に以下の液剤容器用キャップ等を開示する。
＜１＞
頭部に塗布する液剤を収容する容器に取り付ける液剤容器用キャップであって、
基台部と先端部を有し、該先端部には、液剤吐出孔が設けられており、
前記液剤吐出孔を中心にして放射状に３以上の凸状部が設けられており、
前記凸状部は、前記先端部の液剤吐出孔側から立ち上がる一端部及び該一端部よりキャップ径方向外側から立ち上がる他端部を有しており、
前記凸状部の最上端は、前記液剤吐出孔より上方に位置し、該凸状部は、キャップの周方向に間隔を開けて形成され、該凸状部同士の間隙が、前記液剤吐出孔から吐出した液剤がキャップ径方向の外側に向かって流出する液剤の流路となる、液剤容器用キャップ。
＜２＞
前記凸状部が、板状リブである＜１＞に記載の液剤容器用キャップ。
＜３＞
前記凸状部が、キャップの周方向に等間隔で設けられている＜１＞又は＜２＞に記載の液剤容器用キャップ。
＜４＞
前記先端部は、円錐台部を有し、該円錐台部の上面部に、前記液剤吐出孔が設けられた天面部を有している＜１＞〜＜３＞の何れか１に記載の液剤容器用キャップ。
＜５＞
前記凸状部が、前記天面部の外縁からキャップの径方向外側に向けて設けられている＜４＞に記載の液剤容器用キャップ。
＜６＞
前記凸状部の最上端の高さが全て同じである＜１＞〜＜５＞の何れか１に記載の液剤容器用キャップ。
＜７＞
前記凸状部の前記一端部から最上端までの部分が曲面形状である＜１＞〜＜６＞の何れか１に記載の液剤容器用キャップ。
＜８＞
前記凸状部が、楕円柱状リブまたは角状リブである＜１＞に記載の液剤容器用キャップ。
＜９＞
前記凸状部が、平面視して扇形であり、凸状部同士の間隙によって形成される液剤の流路が溝状である＜１＞に記載の液剤容器用キャップ。
＜１０＞
前記先端部が半球状である＜１＞に記載の液剤容器用キャップ。
＜１１＞
＜１＞〜＜１０＞の何れか１に記載の液剤容器用キャップが、頭部に塗布する液剤が収容された容器に取り付けられている液剤入り容器。
＜１２＞
＜１１＞に記載の液剤入り容器に収容された、頭部に塗布するための液剤。
＜１３＞
下記の工程を含む＜１１＞に記載の液剤入り容器の使用方法。
液剤入り容器を手で把持し、前記凸状部の最上端を頭部に接触させる工程。
液剤入り容器の胴部を押圧し、前記液剤吐出孔より液剤を頭部に向かって吐出させる工程。
【符号の説明】
【００３３】
１  液剤容器用キャップ
２  基台部
３  先端部
３１  液剤吐出孔
３２  外縁
３３  液剤吐出孔の外周部
３４  天面部
３５  円錐台部
４  板状リブ（凸状部）
４１  一端部
４２  他端部
４３  最上端
４６  凸状部間の間隙
５  接続部材
６  頭部
６１  頭皮
７  液剤
９  容器
【図１】
2014169114.tif 000003
【図２】
2014169114.tif 000004
【図３】
2014169114.tif 000005
【図４】
2014169114.tif 000006
【図５】
2014169114.tif 000007
【図６】
2014169114.tif 000008
【図７】
2014169114.tif 000009
【図８】
2014169114.tif 000010